(57)【要約】  本発明は、携帯無線デバイス（１）に向けた呼の第２ネットワーク接続（５）への自動呼の迂回または転送のための方法およびシステムに関する。本発明は、顧客構内機器（２）の検出モジュールが、携帯無線デバイス（１）と顧客構内機器（２）との間のインタフェース（４）の影響範囲（１４）に携帯無線デバイス（１）が配置されるとすぐにそれを検出し、それによって携帯無線デバイスの識別データがインタフェースを介して送信されることによって特徴付けられる。携帯無線デバイスの識別データに基づき、携帯無線デバイスに向けた呼の第２ネットワーク・デバイスへの呼の迂回または転送は、携帯無線デバイス（１）が携帯無線デバイス（１）と顧客構内機器（２）との間のインタフェースの影響範囲（１４）に配置されている限り起動される。
2008500786.tif 000002
【特許請求の範囲】
【請求項１】
携帯無線デバイス（１）に向けた呼を第２通信ネットワークの第２ネットワークデバイス（５）へ自動的に迂回する方法であって、
前記携帯無線デバイスが前記携帯無線デバイスと第３の通信ネットワークの顧客構内機器（２）との間のインタフェース（４）の動作範囲に配置されたことを前記顧客構内機器に設置された検出モジュールが検出し、
前記携帯無線デバイスの識別データが、前記携帯無線デバイスと前記顧客構内機器との間の前記インタフェースを介して送信され、そして、
前記携帯無線デバイスが前記携帯無線デバイスと前記顧客構内機器との間のインタフェースの動作範囲に配置されている限り、前記携帯無線デバイスの識別データに基づいて、前記携帯無線デバイスに向けた呼が前記第３通信ネットワークを介して前記第２ネットワーク・デバイスに迂回されることを特徴とする方法。
【請求項２】
前記携帯無線デバイスの識別データおよび／または前記第２ネットワークデバイスの識別データは、前記顧客構内機器と前記携帯無線デバイスに割り当てられた携帯無線ネットワーク（３）の少なくとも１つの中心ユニット（１１）との間のネットワークインタフェース（８）を介して、前記第３通信ネットワークによって送信されることを特徴とする請求項１に記載の方法。
【請求項３】
前記第２ネットワーク・デバイスの識別データは、前記携帯無線デバイスと前記顧客構内機器との間の前記インタフェースを介して送信されることを特徴とする請求項１または２に記載の方法。
【請求項４】
前記顧客構内機器の識別データは、前記携帯無線デバイスと前記顧客構内機器との間の前記インタフェースを介して送信されることを特徴とする請求項１乃至３のいずれか１項に記載の方法。
【請求項５】
前記携帯無線デバイスの識別データは、前記第２ネットワーク・デバイスの呼の発信のために使用されることを特徴とする請求項１乃至４のいずれか１項に記載の方法。
【請求項６】
携帯無線デバイス（１）に向けた呼を第２通信ネットワークの第２ネットワーク・デバイス（５）へ自動的に迂回するシステムであって、
第３通信ネットワークの顧客構内機器（２）に設置された検出モジュールは、前記携帯無線デバイス（１）と前記顧客構内機器（２）との間の少なくとも１つの利用可能なインタフェース（４）を検出する手段を含み、
前記携帯無線デバイス（１）と前記顧客構内機器（２）との間の前記インタフェース（４）を介して、前記携帯無線デバイスの識別データを送信する手段と、
前記第３通信ネットワークに基づいて、携帯無線デバイスに向けた呼を第２ネットワーク・デバイス（５）へ迂回する手段とを含むことを特徴とするシステム。
【請求項７】
前記顧客構内機器（２）は、前記第３通信ネットワークに基付いて、前記携帯無線デバイス（１）の識別データおよび／または前記第２ネットワーク・デバイス（５）の識別データを、前記携帯無線デバイスに割り当てられた携帯無線ネットワーク（３）の少なくとも１つの中心ユニット（１１）に送信する手段を含むことを特徴とする請求項６に記載のシステム。
【請求項８】
前記携帯無線デバイスと前記顧客構内機器との間の前記インタフェース（４）を介して、前記第２ネットワーク・デバイス（５）の識別データを送信する手段を含むことを特徴とする請求項６または７に記載のシステム。
【請求項９】
前記携帯無線デバイスと前記顧客構内機器との間の前記インタフェース（４）を介して、前記顧客構内機器（２）の識別データを送信する手段を含むことを特徴とする請求項６乃至８のいずれか１項に記載のシステム。
【請求項１０】
前記第２ネットワーク・デバイスの呼の発信のために、前記携帯無線デバイスの識別データを使用する手段を含むことを特徴とする請求項６乃至９のいずれか１項に記載のシステム。
【発明の詳細な説明】
【技術分野】
【０００１】
本発明は、携帯無線デバイスに向けた呼を第２ネットワーク・デバイスへ自動的に迂回または転送する方法およびシステムに関する。
【背景技術】
【０００２】
近年、携帯無線デバイスのユーザの数は急速に増加している。その間、多くの人々は携帯無線デバイスと同様に、固定ネットワークを介して接続される、例えば自宅または職場での固定ネットワーク・デバイスなどのネットワーク・デバイスを所持している。したがって、呼の迂回または転送の方法およびシステムは、例えば固定ネットワーク・デバイスから第２の固定ネットワーク・デバイスへの呼の迂回または転送、または携帯無線デバイスから第２の固定ネットワーク・デバイスへの呼の迂回または転送など、様々な異なる実施形態において知られている。例えば、米国特許第６４４６１２７号により、個人情報デバイス（ＰＩＤ）のユーザが電話ネットワークの中心ユニットにデータを送信することができる、これらのデータの基準で行われる着信の呼の迂回または転送の方法が知られている。しかしながら、この方法の欠点はユーザが呼の迂回または転送の起動を自分自身で管理しなければならないということと、例えばユーザが起動された呼の迂回または転送のスイッチを再び切ることを忘れる場合もあるということである。
【０００３】
独国特許出願第１０１  ２７  ２６５号には、第１電話と第２電話とがネットワークに接続可能であり、直接接続を経由して（例えばＢｌｕｅｔｏｏｔｈ（登録商標、以下同）接続などを経由して）第１電話が第２電話に接続可能になるとすぐに、呼の迂回または転送が第１または第２電話によって起動される呼転送の方法が記載されている。しかしながらこの構成には特に、互いに直接に接続可能な電話でしかこの方法が実行可能ではないという欠点がある。とはいえ、この前提条件は非常に多くの設置された電話について満たされることはない。
【０００４】
国際公開ＷＯ０２／５１１７０号は、無線電話が遠距離通信ネットワーク上で互換の無線電話と通信するように設定されており、無線電話が互換の無線電話の検出および識別のためのディデクタ（検出器）を含み、無線電話がコントローラを含み、これによって互換の無線電話への呼が無線電話に向けて転送可能となる無線電話に関する。しかしながら、このような無線電話には、互換の無線電話への呼しか無線電話に向けて転送できないという欠点がある。したがって、このような無線電話は非常に制限されたアプリケーションを有する。
【特許文献１】米国特許第６４４６１２７号明細書
【特許文献２】独国特許出願第１０１  ２７  ２６５号
【特許文献３】国際公開ＷＯ０２／５１１７０号明細書
【発明の開示】
【発明が解決しようとする課題】
【０００５】
本発明の目的は、現状技術の欠点のない、携帯無線デバイスに向けた呼を第２ネットワーク・デバイスへ自動的に迂回または転送のための方法およびシステムを提案することである。
【課題を解決するための手段】
【０００６】
本発明によって、これらの目的は特に、検出モジュールが携帯無線デバイスと第３通信ネットワークのＣＰＥ（顧客構内機器）との間のインタフェースの動作範囲内に携帯無線デバイスが配置されるとすぐにそれを検出することと、携帯無線デバイスの識別データが携帯無線デバイスとＣＰＥとの間のインタフェースを介して送信されることと、携帯無線デバイスの識別データに基づき、第３通信ネットワークを介して、携帯無線デバイスに向けた呼の第２ネットワーク・デバイスへの呼の迂回または転送が、携帯無線デバイスが携帯無線デバイスとＣＰＥとの間のインタフェースの動作範囲に配置されている限り起動されることとによって達成される。このような方法には、呼の迂回または転送の起動および停止の両方が自動的に行われるという利点がある。
【０００７】
異なる実施形態で、携帯無線デバイスの識別データおよび／または第２ネットワーク・デバイスの識別データは、ＣＰＥと、携帯無線デバイスに割り当てられた携帯無線ネットワークの少なくとも１つの中心ユニットとの間のネットワーク・インタフェースを介して送信される。このような方法には、例えば地下室の場合にあり得るような、携帯無線デバイスが携帯無線ネットワークとネットワーク接続を有しない場合にも、呼の迂回または転送の起動または停止がそれぞれ行われることが可能であるという利点がある。地下室の例では、例えばこの地下室内に設置された固定のネットワーク・デバイスで呼の迂回または転送が行われることが可能である。
【０００８】
本発明によって、携帯無線デバイスの検出はＣＰＥ内に設置された検出モジュールを通じて行われる。このような方法には、検出モジュールを付け加えるために既存の電子デバイスが使用されることが可能であるという利点がある。
【０００９】
異なる実施形態で、第２ネットワーク・デバイスの識別データは携帯無線デバイスとＣＰＥとの間のインタフェースを介して送信される。このような方法には、呼の迂回または転送が無線携帯デバイスで設定されるリストによって行われることが可能であり、それによって携帯無線デバイスのユーザが、例えば呼転送を自主的に設定することができるという利点がある。
【００１０】
異なる実施形態で、ＣＰＥの識別データは、携帯無線デバイスとＣＰＥとの間のインタフェースを介して送信される。このような方法には、異なるＣＰＥ、およびこれらのＣＰＥに割り当てられた第２ネットワーク・デバイスのための識別エントリを用いて、例えば携帯無線デバイスの中でリストが設定されることが可能であり、それによって異なる呼の迂回または転送が、例えば異なるＣＰＥのためにユーザによって個別に設定されることも可能であるという利点がある。
【００１１】
異なる実施形態で、携帯無線デバイスの識別データは第２ネットワーク・デバイスの呼の発信のために使用される。このために、第２ネットワーク・デバイスの携帯無線デバイスの識別データは、Ｂｌｕｅｔｏｏｔｈインタフェースまたはその他のインタフェースを介して第２ネットワーク・デバイスに送信されることが可能であり、それによって第２ネットワーク・デバイスの呼の発信が携帯無線デバイスの識別データを使用して実行されることが可能である。それによって、一例として、第２ネットワーク・デバイスは、例えばＳＩＭ（加入者識別モジュール）などのメモリ・モジュールを含むことが可能である。このような方法には、例えば第２ネットワーク・デバイスを使用して実行される呼が、いくつかの携帯無線デバイスの番号を使用して支払請求されることが可能であるという利点がある。
【００１２】
異なる実施形態で、呼の迂回または転送の方法は、ＣＰＥ（顧客構内機器）の検出モジュールが、携帯無線デバイスとＣＰＥとの間のインタフェースの動作範囲内に携帯無線デバイスが配置されるとすぐにそれを検出し、携帯無線デバイスの識別データが携帯無線デバイスとＣＰＥとの間のインタフェースを介して送信され、携帯無線デバイスの識別データに基づき、第１ネットワーク・デバイスに向けた呼の第２ネットワーク・デバイスへの呼の迂回または転送が、携帯無線デバイスが携帯無線デバイスとＣＰＥとの間のインタフェースの動作範囲内に配置されている限り起動される、第１ネットワーク・デバイスに向けた呼の第２ネットワーク・デバイスへの呼の迂回または転送に関する。このような方法には、例えば第１の固定ネットワークの番号から第２の固定ネットワークの番号への呼の迂回または転送が、自動で行われることが可能であるという利点がある。
【００１３】
呼の迂回または転送の方法の別の実施形態で、呼の迂回または転送の起動または停止のそれぞれは、顧客構内機器（２）と遠距離通信ネットワークの少なくとも１つの中心ユニットとの間のネットワーク・インタフェースを介して行われる。このような方法には、携帯無線ネットワークへの携帯無線デバイスの接続がなくても呼の迂回または転送がそれぞれ起動されるか、または停止されることが可能であるという利点がある。
【００１４】
呼の迂回または転送の方法の別の実施形態で、呼の迂回または転送の起動または停止のそれぞれは、携帯無線デバイス（１）と遠距離通信ネットワークの少なくとも１つの中心ユニットとの間のネットワーク・インタフェースを介して行われる。このような方法には、遠距離通信ネットワークへの顧客構内機器の接続がなくても呼の迂回または転送がそれぞれ起動されるか、または停止されることが可能であるという利点がある。
【００１５】
本発明による方法に加えて、本発明もまた本方法を実行するためのシステムに関することをここで述べるべきである。
【００１６】
本発明の異なる実施形態は、例を参照して以下で説明される。実施形態の例は以下の添付の図面によって示される。
【発明を実施するための最良の形態】
【００１７】
図１は、携帯無線デバイスに向けた呼を固定ネットワークの番号へ一時的に自動迂回または転送する方法およびシステムを概略的に示す構成図である。
【００１８】
図１の参照番号１は携帯無線デバイスを指し、参照番号２はＣＰＥ（構内顧客機器）を指す。携帯無線デバイス１は、任意の携帯無線ネットワーク３の任意の携帯無線デバイスであることが可能であり、例えば携帯無線デバイスはＧＳＭ携帯無線ネットワークのＧＳＭデバイスであるか、またはＵＭＴＳネットワークのＵＭＴＳデバイスであるか、または衛星ネットワークの衛星デバイスである。ＣＰＥ２は通常の標準的なパーソナル・コンピュータ（ＰＣ）、携帯型ＰＣ、アナログもしくはデジタル・モデム、ｘＤＳＬモデム（これによってｘＤＳＬモデムはＡＤＳＬ、ＳＤＳＬ、ＨＤＳＬまたはＶＤＳＬモデムであることが可能である）、固定のネットワーク電話、携帯無線デバイス用の再充電器、冷却装置（ｒｅｆｒｉｇｅｒａｔｏｒ）、または電子的に接続された構成備品を備える任意のその他のデバイスであることが可能である。
【００１９】
図１の参照番号４は、携帯無線デバイスとＣＰＥ２との間のインタフェースを指す。インタフェース４はＢｌｕｅｔｏｏｔｈインタフェース、赤外線インタフェース、ＷＬＡＮインタフェース、または任意のその他の非接触型インタフェースであることが可能である。しかしながら、携帯無線デバイス１とＣＰＥ２との間のインタフェース４はＵＳＢインタフェースであることも可能であるが、しかしながらＦｉｒｅ  Ｗｉｒｅ（登録商標）インタフェースか、または任意のその他の接触型インタフェースであることも可能である。携帯無線デバイスとＣＰＥとの間のインタフェース４は特に、例えばＵＳＢインタフェースの他にも、例えば携帯無線デバイスに再充電するための電力供給源も同時に備える接触型インタフェースであることも可能であるか、またはインタフェース４は、例えばデータの送信のためのインタフェースも同時に含む、電力供給のためのインタフェースであることが可能である。例えば、多様なインタフェースが携帯無線デバイス１とＣＰＥ２との間に同時に存在することもまた可能である。インタフェース４によってＣＰＥ２の検出モジュールは、携帯無線デバイス１が例えばインタフェース４の動作範囲内に配置されるとすぐに、例えばＢｌｕｅｔｏｏｔｈインタフェースなどの非接触型インタフェースの送信／受信範囲内に配置されるとすぐに、またはＵＳＢインタフェースなどの接触型インタフェースによって接続されるとすぐに、携帯無線デバイス１を検出することが可能である。このようなインタフェースを介した携帯無線デバイスの識別データの送信を通じて、携帯無線デバイス１は、例えば後にさらに説明するＣＰＥ２のサービス・アプレットによって識別されることが可能である。識別データは、例えば携帯無線デバイスのサービス・アプレットの識別子、携帯無線デバイスの呼出し番号、国際携帯機器識別（Ｉｎｔｅｒｎａｔｉｏｎａｌ  Ｍｏｂｉｌｅ  Ｅｑｕｉｐｍｅｎｔ  Ｉｄｅｎｔｉｔｙ：ＩＭＥＩ）、国際移動加入者識別（Ｉｎｔｅｒｎａｔｉｏｎａｌ  Ｍｏｂｉｌｅ  Ｓｕｂｓｃｒｉｂｅｒ  Ｉｄｅｎｔｉｔｙ：ＩＭＳＩ）、または携帯無線デバイスの識別のための任意のその他の指標を含むことが可能である。一例として、識別データは、例えばＳＩＭカードなどのメモリ・モジュールに記憶されることが可能である。
【００２０】
図１の参照番号５は、第２ネットワーク・デバイスを指す。第２ネットワーク・デバイス５は、例えば固定のネット電話、家庭用電話、移動式の家庭用電話、インターネット電話、または音声および／またはデータ通信のための任意のその他のネットワーク・デバイスであることが可能である。第２ネットワーク・デバイス５はまた、例えばＰＣのためのインターネット電話アプリケーションとしてＣＰＥ２に統合されることも可能である。上述のように、ＣＰＥ２は例えばＢｌｕｅｔｏｏｔｈインタフェースを備えた固定のネット電話であることも可能である。しかしながらＣＰＥ２はまた、例えば固定ネット電話のための壁ソケットか、または電力供給ネットワークの電気的な差込口に接続されることが可能な補助的デバイスとして設計されることも可能である。ＣＰＥ２は、例えば電力供給ネットワーク上の通信のための通信デバイスを備えた高速電力線通信（Ｐｏｗｅｒ  Ｌｉｎｅ  Ｃｏｍｍｕｎｉｃａｔｉｏｎｓ：ＰＬＣ）デバイスであることも可能である。
【００２１】
図１の参照番号６および７は、任意の遠距離通信ネットワークを指す。遠距離通信ネットワーク６、７は例えば公衆電話交換網（ＰＳＴＮ）、例えばＥｔｈｅｒｎｅｔ（登録商標、以下同）、ＷＬＡＮ、Ｂｌｕｅｔｏｏｔｈ、Ｔｏｋｅｎ  Ｒｉｎｇなどのネットワークを基盤とするインターネット、またはアナログもしくはデジタル接続のモデムまたはｘＤＳＬモデム、地上ベースもしくは衛星ベースの携帯無線ネットワーク、電力供給ネットワーク・ベースのＰＬＣネットワーク、または任意のその他の遠距離通信ネットワークであることが可能である。異なる実施形態で、遠距離通信ネットワーク６および７は、例えば別々のネットワークである代わりに単一の遠距離通信ネットワークだけであって、ＰＳＴＮとしてだけ実装されることが有利な場合がある。
【００２２】
図１の参照番号８および９はＣＰＥ２の遠距離通信ネットワーク６へのネットワーク接続か、または第２ネットワーク・デバイス５の遠距離通信ネットワーク７へのネットワーク接続をそれぞれ指す。ネットワーク接続はＰＳＴＮ、インターネット、携帯無線ネットワーク、または任意のその他の遠距離通信ネットワークへの任意の接続を含むことが可能である。
【００２３】
図１の参照番号１１は、携帯無線デバイスに割り当てられた携帯無線ネットワークの中心ユニット１１に関する。中心ユニット１１は、例えばホーム・ロケーション・レジスタ（Ｈｏｍｅ  Ｌｏｃａｔｉｏｎ  Ｒｅｇｉｓｔｅｒ：ＨＬＲ）、ビジティング・ロケーション・レジスタ（Ｖｉｓｉｔｉｎｇ  Ｌｏｃａｔｉｏｎ  Ｒｅｇｉｓｔｅｒ：ＶＬＲ）、モバイル交換センター（ＭＳＣ）、および／または相応のレジスタを含むことが可能である。
【００２４】
図１で、参照番号１２または１３はそれぞれ、遠距離通信ネットワーク６と中心ユニット１１との間のネットワーク接続、または遠距離通信ネットワーク７と中心ユニット１１との間のネットワーク接続を指す。
【００２５】
図１の参照番号１４は、携帯無線デバイス１とＣＰＥ２との間のインタフェースの動作範囲１４を指す。参照番号１５は、携帯無線デバイス／携帯無線ネットワークの送信／受信範囲１５を指す。異なる実施形態で、携帯無線デバイス１は、携帯無線デバイス１とＣＰＥ２との間のインタフェースの動作範囲１４内に配置されるが、携帯無線デバイス／携帯無線ネットワークの送信／受信範囲１５の外側にある。
【００２６】
本発明による解決法の異なる実施形態で、例えば携帯無線ネットワーク・オペレータのサービスＵＲＬを介して、いわゆるサービス・アプレットが提供される。一例としてサービス・アプレットは、例えば携帯無線デバイスのためのサービス・アプレットと、ＣＰＥのためのサービス・アプレットとして一対で割り当てられる識別データとともに、一対で提供され、それぞれの場合で携帯無線デバイス１とＣＰＥ２とにユーザによってロードされることが可能である。例えば、ＣＰＥ２のサービス・アプレットは検出モジュールを含むことが可能であり、携帯無線デバイスは携帯無線デバイスとＣＰＥとの間のインタフェースの動作範囲１４に配置されるとすぐに検出される。次いでＣＰＥのサービス・アプレットは、例えば携帯無線デバイスのサービス・アプレットから識別データを要求し、この識別データによって、携帯無線デバイス１が携帯無線デバイスとＣＰＥとの間のインタフェースの動作範囲１４に配置されている限り、携帯無線デバイス１に向けた呼の第２ネットワーク・デバイス５への呼の迂回または転送を起動することができる。
【００２７】
例えば、ＣＰＥのサービス・アプレットは携帯無線デバイスの識別データのエントリと第２ネットワーク・デバイスの識別データとを備えたリストを含むことが可能である。しかしながら、このようなリストは例えば携帯無線デバイス上で構成されるか、または遠距離通信ネットワークの中心ユニット上で構成されることも可能である。しかしながら、このようなリストはまた、適切なインタフェースを介して、例えば適切な第２ネットワーク・デバイスが利用可能かどうかを検出するＣＰＥによって動的に生成されることも可能である。
【００２８】
次いでＣＰＥのサービス・アプレットは、例えばホーム・ロケーション・レジスタ（ＨＬＲ）、ビジティング・ロケーション・レジスタ（ＶＬＲ）、および／または相応のレジスタの中で、携帯無線デバイスの識別データおよび第２ネットワーク・デバイスの識別データを使用して、携帯無線デバイスに向けた呼の第２ネットワーク・デバイスへの呼の迂回または転送を起動または停止することが可能である。
【００２９】
呼の迂回または転送の停止が必要であるかどうかを判定するために、例えば携帯無線デバイスに割り当てられた携帯無線ネットワークの中心ユニット１１の中に、停止モジュールが提供されることが可能であり、停止モジュールは、例えば一定の時間間隔が経過した後などのある時点で、例えばＣＰＥのサービス・アプレットに現在の呼の迂回または転送の有効性を確認することを求める。しかしながら、停止はまた、携帯無線デバイスがインタフェース４の動作範囲内にもはや配置されていなければすぐに、ＣＰＥのサービス・アプレットによって引き起こされることも可能である。
【００３０】
携帯無線デバイスを検出するための検出モジュールの代わりに、ＲＦＩＤ（無線周波識別）トランスポンダの検出のためのＲＦＩＤトランシーバが使用されることが可能であることが指摘される。例えばＲＦＩＤトランシーバは、特定の（ＲＦＩＤタグと呼ばれることも可能な）ＲＦＩＤトランスポンダが検出されるとすぐに、呼の迂回または転送を起動することが可能である。ＲＦＩＤトランスポンダは、例えばアクセス制御、時間測定、またはその他のアプリケーションなどの他の目的のためにユーザによって使用されることもまた可能である。例えばＲＦＩＤトランシーバは、ＲＦＩＤタグが例えば特定の範囲内で、より長い距離で検出されるように設定されることが可能である。ＲＦＩＤトランシーバは、例えばユーザが呼の迂回または転送の起動のために短期通知（ｓｈｏｒｔ−ｔｅｒｍ  ｎｏｔｉｃｅ）でＲＦＩＤタグをＲＦＩＤトランスポンダに置かなければならないように、ＲＦＩＤタグがより短い距離でのみ検出されるように設定されることも可能である。呼の迂回または転送は、例えば特定のＲＦＩＤタグがＲＦＩＤトランシーバによって検出可能である限り、起動されたままであることが可能である。呼の迂回または転送は、例えば特定のＲＦＩＤタグの最初の検出で起動され、このＲＦＩＤタグの２度目の検出で再び停止されることもまた可能である。呼の迂回または転送は、例えば第１のＲＦＩＤタグの検出で起動され、第２のＲＦＩＤタグの検出で再び停止されることもまた可能である。
【図面の簡単な説明】
【００３１】
【図１】携帯無線デバイスに向けた呼を固定ネットワークの番号へ一時的に自動迂回または転送する方法およびシステムを概略的に示す構成図である。
【図１】
2008500786.tif 000003
【国際調査報告】
2008500786.tif 000004
2008500786.tif 000005
2008500786.tif 000006
2008500786.tif 000007